(57)【要約】【課題】  円板体の厚さに応じてディスク高さを複数段階に目視しながら選択的に調整可能にする。【課題を解決するための手段】  この目的を達成するため本発明は、円板体を一個ごと区分けするためのディスク１０２と、ディスク１０２によって円板体を移動するディスク基盤１０４と、円板体の厚さに応じてディスクの高さを調整可能な段差部１４９とを有する装置本体１００に、ディスクを回転可能且つ上下調整可能な回転軸部材１６０を挿通し、回転軸部材１６０を段差部１４９に選択可能に取付ける。【選択図】図４
2010055649.tif 000002
【特許請求の範囲】
【請求項１】
円板体を一個ごと区分けするためのディスク（102）と、
前記ディスク（102）によって移動される円板体をガイドするディスク基盤（104）と、
前記ディスク基盤（104）を有する装置本体（100）とを備え、
前記ディスク（102）が前記円板体の厚さに応じて前記ディスク基盤（104）に対する高さを調整可能された円板体の放出装置において、
前記ディスクは前記本体に間接的に取り付けられ、かつ、前記ディスク基盤に対して回転可能な回転軸部材（160）の先端部に取り付けられ、前記回転軸部材はその中間部に関連する回転歯車を介して前記ディスクの側方に配置されたモータ（121）によって回転されることを特徴とする円板体の放出装置。
【請求項２】
円板体を一個ごと区分けするためのディスク（102）と、
前記ディスク（102）によって移動される円板体をガイドするディスク基盤（104）と、
前記ディスク基盤（104）を有する装置本体（100）とを備え、
前記ディスク（102）が前記円板体の厚さに応じて前記ディスク基盤（104）に対する高さを調整可能された円板体の放出装置において、
前記ディスクは前記本体に間接的に取り付けられ、かつ、前記ディスク基盤に対して回転可能な回転軸部材（160）の先端部に取り付けられ、前記回転軸部材はその中間部に関連する回転歯車を介して前記ディスクの側方に配置されたモータ（121）によって回転され
前記回転軸部材は周面に環状の窪み部(162b)を有し、前記窪み部に複数の球（162ａ）の一部を位置させ、前記球を保持する部材(172)によって回転自在に保持し、前記保持部材は前記装置本体の裏面に配置された段差部（149）に取り付けられ、
前記球の前記保持部材は、円筒部(170)、及び、前記円筒部に所定の間隔で配置した弾性を有する係止爪(171)を含み、前記係止爪によって前記球を回転自在に保持する部材（172）を前記球を封入した状態で前記円筒部に保持し、前記装置本体に支持部材(180)を設け、前記支持部材に前記円筒部及び前記係止爪をはめ込んで取り付けてなることを特徴とする円板体の放出装置。
【発明の詳細な説明】
【技術分野】
【０００１】
本発明は、貨幣であるコイン、遊戯用メダルやトークンなどの代用硬貨または類似のものも含まれる円板体を一個ごと区分けし、放出するための装置に関する。
【背景技術】
【０００２】
従来、円板体を放出する装置として種々のものが知られている。
例えば、本発明の出願人によって既に出願し公開された特開平１１−９６４２６号公報に開示された厚さ調節可能な円板体放出装置や特開平１１−８６０６６号公報に開示された小形の円板体放出装置が知られている。
【０００３】
特開平１１−９６４２６号公報の装置は、円板体がスライド自在に移動されるための
基板と、この基板に配設されて円板体を一個一個放出するためのディスクと、このディスクを回転するための回転軸と、この回転軸が回転自在に貫通されるとともに、基板に昇降自在に配設される昇降体と、この昇降体を昇降して円板体の厚さに応じてディスクの昇降を調節するための操作体及び回転軸の抜け止めのストッパーとを備えたものである。
【０００４】
この装置は、薄い円板体の厚さに適合させるに際しては、操作体を操作せずに鋸歯を介在して昇降体が当該操作体と全面的に噛み合っている状態にする。換言すると、基板から昇降体が突出していない状態にする。基板とディスクとの間隔が最も狭くなって円板体（図示略）の厚さに適合できることになる。
また、円板体が厚手の場合には、操作体を操作し、操作体の柄部が回転され、所定の位置で固定され、互いに噛み合う鋸歯を介在して昇降体が基板から突出される。
【０００５】
したがって、基板とディスクとの間隔が広くなり、円板体の厚さに適合できることになる。すなわち回り止めされた昇降体の鋸歯を形成する傾斜面が操作体の鋸歯を形成する傾斜面によって移動されるため、結果として昇降体が基板から突出されることになる。
【０００６】
一方、特開平１１−８６０６６号公報の装置は、円板体を一個一個放出するためのディスクと、このディスクを回転するための回転軸と、この回転軸の中心軸線上に中心軸線を有する遊星ギア装置と、この遊星ギア装置の中心軸線上に中心軸線を有するモータの回動軸とを備えた小形の円板体放出装置であリ、特に、円板体の厚さに応じてディスクの位置を調節するためのスペーサとを備えたものである。
【０００７】
この装置は、厚い円板体に適合させるに際しては、スペーサが回転軸に外装されて該回転軸のギア部が基板の貫通孔に挿入され、ギア部は遊星ギア装置のキャリア板の筒部に挿入されて嵌合される。
また、コインなどの円板体が薄手の場合はスペイサが省略されて回転軸のギア部が基板の貫通孔から挿入されて遊星ギア装置内のキャリア板の筒部に挿入されて嵌合される。
【０００８】
したがって、この装置もスペーサを介在させることによって、特開平１１−９６４２６号公報に記載の装置と同様に、基板とディスクとの間隔を調整することによって円板体の厚さに適合できることになる。
【０００９】
また、これら公報に記載の装置には、共通してストッパーが開示されており、このストッパーは、共に回転軸の錐形部に接触して回転軸の抜け止めをなしている。
【００１０】
特開平１１−８６０６６号公報において、円板体の厚みに対応する場合、厚みの異なるスペーサに交換しなければならず、面倒で煩わしい作業であった。
【００１１】
特開平１１−９６４２６号公報の場合、操作体及びストッパーの位置調整が必要であり、同様に面倒な作業であった。
また、ストッパーは、錐形部に接触して抜け止め機能を発揮する。抜け止めのため、錐形部は所定の角度が必要である。回転軸に所定の強度が必要であるため所定の軸径を下回ることができない。
したがって、錐形部の長さは制限される。換言すると、ディスクの位置調整範囲は、回転軸の径と錐形部の角度によって制限される問題がある。
【００１２】
【特許文献１】特開平１１−９６４２６号公報（図２，３，４ 段落１５，１６）
【特許文献２】特開平１１−８６０６６号公報（図３，４ 段落１０，１１）
【発明の開示】
【発明が解決しようとする課題】
【００１３】
本発明は、上述した課題を解決するためになされたもので、その目的は、第１に、円板体の厚さに応じてディスク基盤に対するディスクの高さ位置（間隔）を容易に変更可能にした円板体の放出装置を提供することにある。
【００１４】
また、第２の目的は、ディスク高さ調整のための介在部材などによってディスク位置調整範囲が制限されることのない円板体の放出装置を提供することにある。
【００１５】
さらに、第３に、円板体の厚さに応じてディスク高さの調整を段階的に目視しながら的確に行うことができる円板体の放出装置を提供することにある。
【課題を解決するための手段】
【００１６】
上記課題を解決するために、本発明は請求項１に記載したように、円板体を一個ごと区分けするためのディスク102と、前記ディスク102によって移動される円板体をガイドするディスク基盤104と、前記ディスク基盤104を有する装置本体100とを備え、前記ディスク102が前記円板体の厚さに応じて前記ディスク基盤104に対する高さを調整可能された円板体の放出装置において、前記ディスクは前記本体に間接的に取り付けられ、かつ、前記ディスク基盤に対して回転可能な回転軸部材160の先端部に取り付けられ、前記回転軸部材はその中間部に関連する回転歯車を介して前記ディスクの側方に配置されたモータ121によって回転されることを特徴とする円板体の放出装置である。
【００１７】
本発明は請求項２に記載したように、円板体を一個ごと区分けするためのディスク102と、前記ディスク102によって移動される円板体をガイドするディスク基盤104と、  前記ディスク基盤104を有する装置本体100とを備え、前記ディスク102が前記円板体の厚さに応じて前記ディスク基盤104に対する高さを調整可能された円板体の放出装置において、前記ディスクは前記本体に間接的に取り付けられ、かつ、前記ディスク基盤に対して回転可能な回転軸部材160の先端部に取り付けられ、前記回転軸部材はその中間部に関連する回転歯車を介して前記ディスクの側方に配置されたモータ121によって回転され、前記回転軸部材は周面に環状の窪み部162bを有し、前記窪み部に複数の球162ａの一部を位置させ、前記球を保持する部材172によって回転自在に保持し、前記保持部材は前記装置本体の段差部149に取り付けられ、、前記球の前記保持部材は、円筒部170、及び、前記円筒部に所定の間隔で配置した弾性を有する係止爪171を含み、前記係止爪によって前記球を回転自在に保持する部材172を前記球を封入した状態で前記円筒部に保持し、前記装置本体に支持部材180を設け、前記支持部材に前記円筒部及び前記係止爪をはめ込んで取り付けてなることを特徴とする円板体の放出装置である。
【００１８】
本発明の第1の好ましい例において、前記段差部は、螺旋階段状に形成されることが好ましい。
この構成によれば、回転軸部材を軸線周りに位置を変えるだけで螺旋階段状の段差部に固定できる。
【００１９】
本発明の第2の好ましい例において、前記回転軸部材は、前記ディスクを回転する回転部と、前記回転部を回転可能に枢着する台座部とを有し、前記回転部に、前記動力伝達部材に連係する横架部材が挿脱可能に装着されるとともに、前記台座部が前記段差部に固定されることが好ましい。
この構成によれば、回転軸部材は、回転部が、横架部材によって回転駆動するとともに、台座部によって段差部に固定されるので、円板体の厚みに対応したディスク高さを固定維持できる。
【００２０】
本発明の第3の好ましい例において、前記動力伝達部材は、  駆動源からの動力を伝達する歯車群のうちのディスク回転歯車よりなり、前記ディスク回転歯車は、前記回転軸部材の挿通孔及び該挿通孔に連通する縦溝とを有し、前記縦溝に前記横架部材が係合する構成とすることが好ましい。
この構成によれば、ディスク回転歯車の挿通孔に形成された縦溝に横架部材を上下方向に移動可能に設けたので、回転軸部材は、ディスクを回転するとともに、ディスク回転歯車内を上下に自在に移動してディスクを円板体の厚みに対応した高さに調整できる。
【発明の効果】
【００２１】
本発明によれば、請求項１に記載したような構成にしたので、ディスクを回転するための回転軸部材160はその中間部に関連配置された回転歯車を介してその側方に配置したモータ121によって回転される。これにより、モータ121、ディスク102を並列配置出来るので装置の高さを低くできる。
【００２２】
本発明によれば、請求項２に記載したような構成にしたので、複数段に形成された台座部によって、ディスクとディスク基盤との間隙を円板体の厚みに対応して複数段階に調整できる。また、回転軸部材160はその中間部に関連配置された回転歯車を介してその側方に配置したモータ121によって回転される。これにより、モータ121、ディスク102を並列配置出来るので装置の高さを低くできる。さらに、球の一部を回転軸部材160に形成した環状の窪み部に嵌合して回転自在かつスラスト方向に移動不能に支持されている。よって、回転軸部材160の回転抵抗を減少させることができ、もって低出力モータを使用できるので製造コスト及びランニングコストを減少できる利点がある。
【００２３】
本発明の第1の好ましい例によれば、回転軸部材を軸線周りに位置を変えるだけで段差部を選択できる。したがって、手間がかからずに容易にディスク基盤に対するディスクの高さ位置を変更できる。
【００２４】
本発明の第2の好ましい例によれば、回転軸部材を堅牢に固定維持できる。したがって、ディスクの浮き上がり状態を防止でき、ディスクによる円板体の安定した放出作業が効率的にできる。
また、横架部材の挿脱によって回転軸部材の装置に対する組立てが容易にできる。
【００２５】
本発明の第3の好ましい例によれば、ディスク回転歯車が回転軸部材を上下移動すると同時に、その回転部を回転することができ、しかも回転軸部材が上下方向に移動してもディスク回転歯車は移動せず、その位置が変わることなく回転軸部材に回転駆動力を伝達することができる。したがって、装置全体の厚みが嵩だかにならず装置をコンパクトにできる。
【発明を実施するための最良の形態】
【００２６】
円板体を一個ごと区分けするためのディスクと、前記ディスクによって移動される円板体をガイドするディスク基盤と、  前記ディスク基盤を有する装置本体とを備え、前記ディスクが前記円板体の厚さに応じて前記ディスク基盤に対する高さを調整可能された円板体の放出装置において、前記ディスクは前記本体に間接的に取り付けられ、かつ、前記ディスク基盤に対して回転可能な回転軸部材の先端部に取り付けられ、前記回転軸部材はその中間部に関連する回転歯車を介して前記ディスクの側方に配置されたモータによって回転され、前記回転軸部材は周面に環状の窪み部を有し、前記窪み部に複数の球の一部を位置させ、前記球を保持する部材によって回転自在に保持し、前記保持部材は前記装置本体の段差部に取り付けられ、、前記球の前記保持部材は、円筒部、及び、前記円筒部に所定の間隔で配置した弾性を有する係止爪を含み、前記係止爪によって前記球を回転自在に保持する部材を前記球を封入した状態で前記円筒部に保持し、前記装置本体に支持部材を設け、前記支持部材に前記円筒部及び前記係止爪をはめ込んで取り付けてなることを特徴とする円板体の放出装置である。
【実施例】
【００２７】
以下、本発明に係る円板体の放出装置の実施の形態につき図面に基づいて詳細に説明する。
図１は、本発明の実施例である円板体の放出装置をホッパーを外した状態で斜め上方より示す斜視図、
図２は、図１における実施例装置を斜め下方より示す斜視図、
図３は、図１における実施例装置の長方形に沿う中心部を縦切断した従断面図、
図４は、本発明の実施例装置の分解斜視図、
図５は、図１の一部を破断した斜視図、
図６は、本発明の実施例装置を構成するディスク回転歯車と回転軸部材とを示す斜視図、
図７は、図５における回転軸部材を示す斜視図である。
図８は、図２における段差部を示す底面図である。
【００２８】
図１〜図４に示すように、本発明に係る実施例の円板体の放出装置５０は、ホッパー１０１の下方に設けられた円板体（以下、コインと称す）を一個ごと区分けするためのディスク１０２と、そのディスク１０２によって移動されるコインをガイドするディスク基盤１０４を備えたディスク取付基部１２０と、コインの厚さに応じてディスク１０２の高さを調整可能な後述する段差部１４９を有するとともに、ディスク１０２を回転するための後述する回転軸部材１６０を備えた駆動源部１４０とからなる装置本体１００によって構成されている。
【００２９】
図３中、符号１０１ａは、ディスク１０２の回転時にホッパー１０１内のコインを開口孔１０２ａ〜１０２ｅ内に押さえたりなどするためのエラストマー製棒状体であり、符号１０１ｂは、ホッパー１０１内に形成されたスロープである。
また、符号１２１は駆動部たるモータ、符号１４３はディスク回転歯車、符号１６１は台座部、符号１６２は回転部、符号１６２ａは金属球、符号１６２ｂは環状窪み部、符号１６３はディスク取着部１６３、符号１６３ｂはディスク取着用のねじ、符号１６５は横架部材、符号１７０は円筒部、符号１７２は蓋部材、符号１８０は回転軸支持部材である。
【００３０】
ディスク１０２は、鉄系焼結金属よりなり、コインを一個ごと区分けするために、上面に複数の円形なコイン収納用開口孔１０２ａ〜１０２ｅが穿設され、さらにその上面の中心部にコインをコイン収納用開口孔１０２ａ〜１０２ｅに導くように分配する突状の分配部１０２ｆが一体形成されている。
また、図中符号１０２ｇはコイン撹拌突起であり、符号１０２ｈはコイン収納用開口孔１０２ａ〜１０２ｅの下縁に形成されたコイン押し出し部である。
【００３１】
ディスク取付基部１２０は、ＡＢＳ樹脂からなる矩形状の基台１０３を形成し、基台１０３の上面部に、ディスク基盤１０４と、モータ１２１用の開口１０５と、ホッパー１０１の取付孔１０６ａ〜１０６ｄとが形成され、さらに基台１０３の互いに対向する長辺の下縁に、下方に垂設された係止片１０７ａ〜１０７ｆが形成されている。
【００３２】
基台１０３上面部には、コインを放出する払い出しローラ１０８と、払い出しローラ用開口１０８ａと、ディスク１０２によって移動されるコインを隣接する払い出しローラ１０８にガイドするコイン止め１１０ａ，１１０ｂと、払い出されるコインを検出しカウントするセンサー用開口１０９ａ，１０９ｂが形成されている。
【００３３】
駆動源部１４０は、ディスク取付基部１２０と互いに嵌合するように同寸法の外形をなすＡＢＳ樹脂からなる矩形状の筐体１４１をなし、筐体１４１内に、モータ１２１と、モータ１２１に連係する動力伝達部材たる歯車群１４２と、歯車群１４２のうち後述する回転軸部材１６０に装着されたディスク回転歯車１４３と、センサー１４４ａ，１４４ｂとが配設されている。
【００３４】
また、筐体１４１には、互いに対向する長辺の両側面に係止片１０７ａ〜１０７ｆが係合する係合孔１４５ａ〜１４５ｆが穿設され、互いに対向する短辺にそれぞれコネクター１４６と、外部機器との取り合い部１４７ａ、１４７ｂと、ディスク回転歯車１４３の装着部位に回転軸部材１６０の取付孔１４８が形成されている。
【００３５】
この取付孔１４８は、筐体１４１の裏面に円形に貫通しており、その裏面の図示しない円形な貫通部の周縁に、後述する回転軸部材１６０の台座部１６１を嵌め込むように取着固定する段差部１４９の複数段１４９Ａ〜１４９Ｄが、挿通孔１４８の周囲に半径方向に放射状に形成されている。
この段差部１４９には、対応するコインの厚みに相当する表示を標記することが好ましい。
【００３６】
図２、図７に示すように、段差部１４９は、放射状に延伸する先端が半円形をなした有底な溝１５０ａ〜１５０ｈを形成し、それぞれ直径方向に向き合った溝１５０ａ，１５０ｂ、１５０ｃ，１５０ｄ、１５０ｅ，１５０ｆ、１５０ｇ，１５０ｈが互いに円周方向に隣接して段１４９Ａ、１４９Ｂ、１４９Ｃ、１４９Ｄをなしている。
【００３７】
溝１５０ａ〜１５０ｈは、放射状に延伸する両側壁が縁取られて突出し、また、半円形の先端が環状に繋がるように縁取られ環状に突出している。
これら溝１５０ａ〜１５０ｈの底部にはねじ孔１５１が螺設されている。
【００３８】
このような溝１５０ａ〜１５０ｈによって形成される段差部１４９は、回転軸部材１６０が、例えばコインの厚みが２．０，２．５，３．０，３．５ｍｍの４種類のコインに対応してディスク１０２とディスク基盤１０４との間隙を調整可能なように、ディスク１０２の高さを調整するべく、複数段１４９Ａ〜１４９Ｄの形成方向に順次、コインの厚さに対応した深さに形成されている。
したがって、回転軸部材１６０をコイン厚みに対応する段差部１４９の段部１４９Ａ〜１４９Ｄに取り付けることで、ディスク基盤１０４に対してディスク１０２の高さを所定のコイン厚みに対応させる。
【００３９】
なお、この段差部１４９は、４種類のコインに対応した段１４９Ａ〜１４９Ｄの数に限らず、必要に応じてさらに複数種類のコインに対応可能なようにその段数を増設することも可能である。
また、段差部１４９は、その段１４９Ａ〜１４９Ｄの配列構成を螺旋階段状に配設してもよい。
【００４０】
円板体の放出装置５０について詳述すると、図４に示すように、駆動源部１４０の下方に回転軸部材１６０が示されている。
【００４１】
回転軸部材１６０は、図７にも示すように、ポリアセタール、アセタール樹脂などにより一体成型された台座部１６１と、ステンレス製の円柱状をなす回転部１６２とから構成され、回転部１６２は、回転部１６２の一部で、回転部１６２の先端に形成された外径の異なる一部が切欠されたディスク取着部１６３と、回転部１６２の回転中心軸に直交して穿設された貫通孔１６４とが形成されている。
その貫通孔１６４には、横架部材１６５が挿脱可能に挿入されている。
【００４２】
台座部１６１は、下面が平らで、筐体１４１の段差部１４９に嵌装される形状、すなわち直径方向に左右に延伸した先端が互いに半円形の突片１６６ａ，１６６ｂを有するとともに、それら突片１６６ａ，１６６ｂの基部を円形に繋ぐように形成された円形部１６７を有する。なお、突片１６６ａ，１６６ｂは片側一片でもよい。
【００４３】
突片１６６ａ，１６６ｂには、それぞれねじ１６８用の孔１６９が穿設され、溝１５０ａ〜１５０ｈの何れかのねじ孔１５１にねじ１６８によって固定されている。
したがって、台座部１６１は、筐体１４１の段差部１４９に固定されるので、回転軸部材１６０がディスク１０２の浮き上がり作用によってスラスト方向に引っ張られる負荷を受けても移動することがない。
【００４４】
ディスク取着部１６３には、一部が切欠された回り止め面１６３ａと頂上部に螺刻されたねじ孔１６３ｃとが形成され、ディスク１０２が回り止め面１６３ａに嵌合されてねじ１６３ｂによってねじ孔１６３ｃに螺着されている。
【００４５】
図３及び図７に示すように、台座部１６１は、円形部１６７と外径を異にして起立した円筒部１７０を一体形成し、この円筒部１７０内に金属球１６２ａが封入されている。
この円筒部１７０には、円周方向に3個所すり割りの入った弾性を有する係止爪１７１が形成され、係止爪１７１の弾性力によって抑えられるように金属球１６２ａを円筒部１７０内に封止する蓋部材１７２が回転部１６２に外装されている。
【００４６】
また、回転部１６２の基部には、円筒部１７０における金属球１６２ａによって軸承され易いように金属球１６２ａに嵌合する環状の窪み部１６２ｂが形成されている。
さらに、回転部１６２は、環状窪み部１６２ｂの上方位置における外周部が支持部材１８０によって支持されている。
この支持部材１８０は、駆動源部１４０の回転軸部材１６０用挿通孔１４８の中心軸線と同軸線上に穿設された挿通孔１４８ａを有して駆動源部１４０の内底に固設されている。
【００４７】
また、円形部１６７と突片１６６ａ，１６６ｂとの間には、隆起部１７２が形成されており、この隆起部１７２は、駆動源部１４０の裏面に形成された取付孔１４８の図示しない円形な貫通部のザグリ部に当接するような当接面１７２ａを有している。
すなわち、この隆起部１７２は、台座部１６１の突片１６６ａ，１６６ｂがディスク１０２の浮き上がり作用によって回転部１６２を介してスラスト方向の負荷を受けた場合、突片１６６ａ，１６６ｂの固定部を補強するために形成されている。
【００４８】
また、図４に示すように、ディスク取付基部１２０と駆動源部１４０との間に挟装されるようにディスク回転歯車１４３が収納されている。
ディスク回転歯車１４３は、動力伝達部材たる歯車群１４２のうち、モータ１２１の回転駆動力を伝達する伝達歯車１５５ａ，１５５ｂに連係して回転軸部材１６０を介在してディスク１０２を回転するようにディスク取付基部１２０と駆動源部１４０との間に配設されている。
【００４９】
このディスク回転歯車１４３は、ポリアセタール、アセタール樹脂などにより一体成型されており、図６にも示すように、ボス部１４３からリム部１４３ｂにかけて放射状に蓮根のような孔を形成するリブ部１４３ｃが一体に形成されている。
【００５０】
ボス部１４３ａには、回転軸部材１６０が挿脱可能に挿設される挿通孔１４３ｄが形成され、中心線上に挿通孔１４３ｄの形成方向に沿って縦溝１４３ｅが形成されている。
この溝１４３ｅには、回転軸部材１６０の横架部材１６５が回転部１６２と共に嵌脱自在に嵌挿される。
【００５１】
上述したような構成をなす円板体の放出装置によれば、図４に示すように、先ず、駆動源部１４０の下方より取付孔１４８に、横架部材１６５を抜いた回転軸部材１６０を挿入する。この時、駆動源部１０４裏面の段差部１４９Ａ〜１４９Ｄのうちコイン厚みに対応する溝１５０ａ〜１５０ｈに台座部１６１の突片１６６ａ，１６６ｂを嵌め込み、台座部１６１を溝１５０ａ〜１５０ｈにねじ１６８によって固定する。
【００５２】
次いで、取付孔１４８から突き出て駆動源部１４０に固設された回転軸部材１６０に横架部材１６５を挿入して取付け、その回転軸部材１６０にディスク回転ギヤ１４３を嵌め入れる。この時、ディスク回転ギヤ１４３を、伝達歯車１５５ｂに噛合させるとともに、回転軸部材１６０の横架部材１６５とディスク回転ギヤ１４３の縦溝１４３ｅとが嵌り合うように調整しながら駆動源部１４０内に設置する。
【００５３】
さらに、駆動源部１４０のモータ１２１と、回転軸部材１６０と、センサ１０９ａ，１０９ｂとの位置を確認しながらディスク取付基部１２０を駆動源部１４０に嵌め入れ、駆動源部１４０の係合孔１４５ａ〜１４５ｆにディスク取付基部１２０の係止片１０７ａ〜１０７ｆを嵌め込み、ディスク取付基部１２０を駆動源部１４０に装着する。
【００５４】
次いで、ディスク取付基部１２０の基台１０３上に突出した回転軸部材１６０のディスク取着部１６３にディスク１０２を嵌め入れ、ディスク１０２をねじ１６３ｂによって固定する。
【００５５】
このように、回転軸部材１６０は、回転部１６２と台座部１６１とが一体的に形成され、ディスク１０２と装置本体１００とに直結して装着されるので部品点数が少なく、横架部材１６５の挿脱によって装置への組立てを容易にできる。
【００５６】
また、このように組み付けられた円板体の放出装置にあっては、コインの外径に応じてディスク１０２を交換でき、また、コインの厚さに応じてディスク１０２の高さを容易に調整できる。
すなわち、ディスク１０２を交換する際は、ねじ孔１６３ｃを有する回転軸部材１６０からねじ１６３ｂを外してディスク１０２を抜き、コインの外径に応じたディスクに交換し、ディスク１０２の高さを調整する際は、ディスク１０２が回転軸部材１６０に取着固定された状態で、回転軸部材１６０の台座部１６１を駆動源部１４０の段差部１４９から外す。
【００５７】
回転軸部材１６０は、台座部１６１を段差部１４９の複数段１４９Ａ〜１４９Ｄのうちコインの厚みに対応して標記された段部を目視して位置決めた溝１５０ａ〜１５０ｈに嵌め込み、ねじ１６８によって取着固定される。
回転軸部材１６０を溝１５０ａ〜１５０ｈに嵌め込む際、回転軸部材１６０は、段差部１４９Ａ〜１４９Ｄの深さに応じてディスク回転歯車１４３の縦溝１４３ｅ内を横架部材１６５を介在して移動する。
【００５８】
したがって、回転軸部材１６０の上下移動は、横架部材１６５が縦溝１４３ｅ内を移動するだけで、回転軸部材１６０の上下移動に伴ってディスク回転歯車１４３を上下方向に移動することがないので、装置本体１００の厚みが嵩だかにならずコンパクトにできる。
【００５９】
また、このように駆動源部１４０の段差部１４９に固定された回転軸部材１６０には、コインの外径に応じたディスク１０２がねじ１６３ｂによって固定され、ホッパー１０１がディスク取付基部１２０のホッパー取付孔１０６ａ〜１０６ｄに嵌め込まれ、ホッパー１０１に供給されたコインを放出するべくディスク１０２が回転される。
【００６０】
ディスク１０２は、反時計方向に回転され、ディスク基盤４上のコインを移動させ、コイン止め１１０ａ，１１０ｂによってコイン払い出しローラ１０８にガイドし、コイン払い出しローラ１０８によって外方に弾き出す。
この時、コインはセンサ１０９ａ，１０９ｂによって検知されカウントされる。
【００６１】
ディスク１０２が、ディスク基盤４上のコインを移動する際、コインによってディスク１０２には、上向きの負荷が働き、同時に、この負荷はディスク１０２を回転し上下移動させる回転軸部材１６０にも作用する。
【００６２】
しかしながら、回転軸部材１６０は、台座部１６１に固定されているので、例え回転軸部材１６０に上向きの負荷が働いてもスラスト方向に移動することはない。
しかも、回転軸部材１６０の台座部１６１を装置本体１００に固定することによって、ディスク１０２のコイン移動に伴う浮き上がり状態を防止できる。
【００６３】
また、回転軸部材１６０は、台座部１６１の突片１６６ａ，１６６ｂが溝１５０ａ〜１５０ｈに嵌り込むので、回転時に、ディスク１０２によって上向きに働く負荷に伴う回転軸部材１６０の回転によるトルクを溝１５０ａ〜１５０ｈの両側壁面で受ける。
【００６４】
したがって、台座部１６１を段差部１４９に取着固定するねじ１６８は、回転軸部材１６０の回転によるトルクを直接受けることがないので、回転軸部材１６０を装置本体１００に堅牢に固定維持できる。
また、回転軸部材１６０が装置本体１００から外れて抜けることがなく、ディスク１０２によるコインの放出を確実且つ効率的に行うことができる。
【産業上の利用可能性】
【００６５】
円板体を一個づつ区分けして放出する放出装置に適用できる。
【図面の簡単な説明】
【００６６】
【図１】図１は、本発明の実施例である円板体の放出装置をホッパーを外した状態で斜め上方より示す斜視図である。
【図２】図２は、図１における実施例装置を斜め下方より示す斜視図である。
【図３】図３は、図１における実施例装置の長方形に沿う中心部を縦切断した従断面図である。
【図４】図４は、本発明の実施例装置の分解斜視図である。
【図５】図５は、図１の一部を破断した斜視図である。
【図６】図６は、本発明の実施例装置を構成するディスク回転歯車と回転軸部材とを示す斜視図、
【図７】図７は、図５における回転軸部材を示す斜視図である。
【図８】図８は、図２における段差部を示す底面図である。
【符号の説明】
【００６７】
５０ 円板体の放出装置
１００ 装置本体
１０２ ディスク
１０４ ディスク基盤
１２０ ディスク取付基部
１２１ 駆動源たるモータ
１４０ 駆動源部
１４２ 動力伝達部材たる歯車群
１４３ ディスク回転歯車
１４３ｄ ディスク回転歯車の挿通孔
１４３ｅ 縦溝
１４８ 装置本体の挿通孔
１４９ 段差部
１６０ 回転軸部材
１６１ 台座部
１６２ 回転部
１６５ 横架部材
【図１】
2010055649.tif 000003
【図２】
2010055649.tif 000004
【図３】
2010055649.tif 000005
【図４】
2010055649.tif 000006
【図５】
2010055649.tif 000007
【図６】
2010055649.tif 000008
【図７】
2010055649.tif 000009
【図８】
2010055649.tif 000010